(57)【特許請求の範囲】
【請求項１】
電子機器の底部側を構成し、底面の前後に亘って複数の係合用穴を有した下ケースと、前記下ケースと対向する側に配置された角度アダプタベースと、前記下ケースの前側と前記角度アダプタベースの前側を回動自在に連結する連結部と、前記下ケースに向かって回動するように、前記角度アダプタベースに回動自在に設けられた角度アダプタと、より構成された電子機器の角度調整装置であって、前記角度アダプタベースには、前記角度アダプタを収納するための凹部が設けられ、前記角度アダプタには、その先端部には前記下ケースに設けた係合用穴と係合して前記電子機器を複数の角度に調整する係合突部と、その基端部には収納位置において前記凹部より外側に露出し、且つ、前記角度アダプタベースの底面から前記連結部までの高さより高い膨らみ部とを有し、前記角度アダプタの使用時には、前記角度アダプタの係合突部が前記下ケースの係合用穴と係合して任意の角度で前記電子機器を傾斜させ、不使用時には、前記凹部に収納されるも前記膨らみ部が前記下ケースの底面側と当接して、前記電子機器を最小角度に維持することを、特徴とする電子機器の角度調整装置。
【請求項２】
角度アダプタベースと角度アダプタとを回動自在に連結する回動機構として、角度アダプタに円形の両側をカットした形状の回転軸を設けると共に、角度アダプタベースに回転軸を回転自在に軸支する回転軸固定部を設け、この回転軸固定部上側に回転軸の直径より狭く且つ回転軸を一定方向に挿入可能な溝を形成し、角度アダプタベースには角度アダプタの回転領域に角度アダプタを押圧する板ばねを配設し、角度アダプタには板ばねと当接して角度アダプタの逆方向の回転阻止するリブを配設してなる請求項１記載の電子機器の角度調整装置。
【発明の詳細な説明】
【０００１】
【産業上の利用分野】
本発明は、電子機器の角度調整装置に係わり、特に、電話機等の電子機器の設置角度を調整するに好適な電子機器の角度調整装置に関する。
【０００２】
【従来の技術】
従来、電話機の角度調整装置として、図９及び図１０に示すものが知られている。
【０００３】
図９及び図１０において、電話機はハンドセット１、上ケース２、下ケース３を備えて構成されており、下ケース３は電話機の角度調整装置として構成されている。すなわち、下ケース３の底部側には角度アダプタ４が設けられている。この角度アダプタ４は略Ｕ字形状に形成されており、両端側が回転軸５を介して、ヒンジ構造の回転軸固定部６に回転自在に連結されている。さらに、角度アダプタ４の略中央部には溝７が形成されており、この溝７に対応して下ケース３には爪８が設けられている。
【０００４】
上記のように構成された従来例においては、角度アダプタ４の回転軸５を下ケース３の回転軸固定部６に連結させるに際しては、バネ状の回転軸固定部６を矢印の方向に撓ませることによって連結させることができる。さらに電話機の操作面あるいは表示面を適当な角度に調節するに際しては、まず角度を低く設定する時には、角度アダプタ４を倒して、爪８を溝７に装着させて角度アダプタ４を下ケース３に固定する。一方、角度を高く設定するときには、溝７から爪８を外し、角度アダプタ４を回転軸５を中心として回転させて起こすことによって設定角度で使用することができる。なお、この種の技術に関連するものとしては、実開昭６１−１２１０５５号公報、実開平１−１７４９７３号公報が挙げあられる。
【０００５】
【発明が解決しようとする課題】
しかしながら、上記従来の構成では、電話機の操作面あるいは表示面の角度を調節するときには、角度アダプタ４を回転軸５を中心として回転させて倒すか、あるいは起こすかの２通りしか選ぶことができない。すなわち、角度を多段階に設定することができない。なお、従来技術の場合でも、角度アダプタ４の回転領域にストッパを設ければ多段階での角度調整も可能であるが、このような方法では強度上実現は不可能である。
【０００６】
本発明はこのような従来の課題を解決するものであり、電子機器の設置角度を多段階に調整することができる電子機器の角度調整装置を提供することを目的とする。
【０００７】
【課題を解決するための手段】
本発明は、上記目的を達成するために、電子機器の底部側を構成し、底面の前後に亘って複数の係合用穴を有した下ケースと、前記下ケースと対向する側に配置された角度アダプタベースと、前記下ケースの前側と前記角度アダプタベースの前側を回動自在に連結する連結部と、前記下ケースに向かって回動するように、前記角度アダプタベースに回動自在に設けられた角度アダプタと、より構成された電子機器の角度調整装置であって、前記角度アダプタベースには、前記角度アダプタを収納するための凹部が設けられ、前記角度アダプタには、その先端部には前記下ケースに設けた係合用穴と係合して前記電子機器を複数の角度に調整する係合突部と、その基端部には収納位置において前記凹部より外側に露出し、且つ、前記角度アダプタベースの底面から前記連結部までの高さより高い膨らみ部とを有し、前記角度アダプタの使用時には、前記角度アダプタの係合突部が前記下ケースの係合用穴と係合して任意の角度で前記電子機器を傾斜させ、不使用時には、前記凹部に収納されるも前記膨らみ部が前記下ケースの底面側と当接して、前記電子機器を最小角度に維持することを、特徴とする電子機器の角度調整装置を構成したものである。
【００１１】
さらに、電子機器の角度調整装置を構成するに際しては、角度アダプタベースと角度アダプタとを回転自在に連結する回転機構として、角度アダプタに円形の両側をカットした形状の回転軸を設けると共に、角度アダプタベースに回転軸を回転自在に軸支する回転軸固定部を設け、この回転軸固定部上側に回転軸の直径より狭く且つ回転軸を一定方向に挿入可能な溝を形成し、角度アダプタベースには角度アダプタの回転領域に角度アダプタを押圧する板ばねを配設し、角度アダプタには板ばねと当接して角度アダプタの逆方向の回転阻止するリブを配設してなる要素を加えることができる。
【００１２】
【作用】
従って、本発明によれば、角度アダプタの使用時には、角度アダプタの係合突部が下ケースの係合用穴と係合して任意の角度で電子機器を傾斜させて、多岐に角度調整をするとともに、不使用時には、凹部に収納されるも角度アダプタの基端部の膨らみ部が下ケースの底面側と当接して、電子機器を最小角度に維持することができる。
【００１３】
【実施例】
以下、本発明の一実施例を図面に基づいて説明する。図１〜図５において、電話機はハンドセット１０、上ケース１１，１２を備えており、下ケース１２の底部側には角度アダプタベース１３が配置されている。下ケース１２は上ケース１１の底部側に連結されており、角度アダプタベース１３と共に角度調整装置を構成するようになっている。下ケース１２は略長方形形状の箱型に構成されており、下ケース１２底面側の前部には一対のブラケット１４が相対向して配設されており、各ブラケットには円柱状の回転軸１５が設けられている。さらに下ケース１２の底面側には爪１６が膨出形成されており、爪１６の近傍には凹部１７が形成されている。この凹部１７には三対の穴１８ａ，１８ｂ，１８ｃが前後方向に沿って形成されている。各穴１８ａ〜１８ｃには各穴の一部を形成すると共に多段階の傾斜面を形成する爪１９ａ，１９ｂ，１９ｃが形成されている。さらに各穴１８ａ〜１８ｃの周囲には接触面２０ａ，２０ｂ，２０ｃが形成されている。そして穴１８ａ〜１８ｃには、角度アダプタベース１３に回転自在に連結された角度アダプタ２１先端側の突起２２が挿入されるようになっている。すなわち、図６に示すように、角度アダプタ２１の突起２２を穴１８ａ〜１８ｃのいずれか一つを選択して挿入することによって下ケース１２と角度アダプタベース１３との角度を三段階に調整できるようになっている。
【００１４】
一方、角度アダプタベース１３は下ケース１２と対応して略箱型に形成されており、角度アダプタベース１３の前側には回転軸１５を回転自在に軸支する回転軸固定部２３が設けられている。回転軸固定部２３はヒンジ構造となっており、図７に示すように、回転軸固定部２３を撓ませることにより、下ケース１２の回転軸１５が装着され、回転軸固定部２３で下ケース１２の前側を回転軸１５を介して回転自在に軸支するようになっている。また角度アダプタ１３の略中央部には凹部としての穴２４が形成されており、穴２４の前側の端部には下ケース１２の爪１６と係合する爪２５が膨出形成されている。さらに穴２４の後ろ側端部には一対の回転軸固定部２６が形成されている。そして各回転軸固定部２６には溝２７が形成されている。溝２７と溝２７との間の領域は角度アダプタ２１の回転領域として形成されており、この領域には角度アダプタ２１を押圧するための板ばねが一対配設されている。そして各溝２７には角度アダプタ２１に形成された回転軸２９が挿入されるようになっている。この回転軸２９は円形の両側をカットした形状となっている。すなわち、回転軸２９は幅が円の直径よりも狭くなっている部分が形成されている。このため、角度アダプタ２１を角度アダプタベース１３に回転自在に連結するに際しては、図８に示すように、回転軸２９のうち幅の狭くなっている部分を溝２７に挿入し、矢印の方向に沿って回転させることによって回転軸２１を回転軸固定部２６に回転自在に装着させることができる。さらに角度アダプタ２１には一対のリブ３０が膨出形成されているため、リブ３０が板ばね２８と当接して、回転軸２９の逆方向の回転が阻止され、角度アダプタ２１を角度アダプタベース１３に確実に装着することができる。
【００１５】
このように、本実施例によれば、角度アダプタ２１先端側の突起２２を下ケース１２の穴１８ａ〜１８ｃのうちいずれか一つの穴に挿入することにより下ケース１２と角度アダプタベース１３との角度を三段階に調整することができる。この場合各穴１８ａ〜１８ｃの縁が角度アダプタ２１の接触面３１で支持されるため、強度的に優れた状態で下ケース１２を支持することができる。さらに、角度アダプタ２１の突起２２を穴から外して穴２４内に収納したときは、角度アダプタ２１の膨らみ部３２が下ケース１２の底面側と当接し、下ケース１２と角度アダプタベース１３との角度を最小角度に設定することができる。すなわち本実施例においては下ケース１２と角度アダプタベース１３とを四段階に角度調整することができる。
【００１６】
なお、前記実施例においては、回転軸１５を下ケース１１に設けると共に、回転軸２９を角度アダプタ２１に設けたものについて述べたが、各回転軸を角度アダプタベースに設けることもできる。
【００１７】
【発明の効果】
本発明は、上記実施例から明らかなように、電子機器の底部側を構成し、底面の前後に亘って複数の係合用穴を有した下ケースの前側と角度アダプタベースの前側を回動自在に連結する連結部を有し、角度アダプタベースに設けられた角度アダプタの係合突部を下ケースに設けた係合用穴と係合し、角度アダプタの基端部の膨らみ部が、角度アダプタの凹部に収納時は、外側に露出し、且つ、連結部の高さより高い位置とする構成にしたことで、角度アダプタの使用時には、角度アダプタの係合突部が下ケースの係合用穴と係合して任意の角度で電子機器を傾斜させて、多岐に角度調整をするとともに、不使用時には、角度アダプタは前記凹部に収納されるも前記膨らみ部が前記下ケースの底面側と当接して、電子機器を最小角度に維持することで、角度アダプタの係合突部の係合による角度調整の段数に加え、角度アダプタの基端部の膨らみ部により、さらに一段の最小角度の設定ができるため、新たな部材を用いることなく角度調整の範囲が広がる効果が得られる。
【図面の簡単な説明】
【図１】本発明の一実施例を示す角度調整装置の側面図
【図２】角度調整装置を最大角度に設定したときの状態を示す側面図
【図３】下ケースの斜視図
【図４】角度アダプタの斜視図
【図５】角度アダプタベースの斜視図
【図６】角度アダプタと下ケースとの関係を示す要部断面図
【図７】（ａ）は回転軸固定部と回転軸との関係を示す斜視図
（ｂ）は回転軸固定部と回転軸との関係を示す断面図
【図８】角度アダプタを回転軸固定部に固定するときの作用を説明するための図
【図９】従来例の側面図
【図１０】従来例の斜視図
【符号の説明】
１０  ハンドセット
１１  上ケース
１２  下ケース
１３  角度アダプタベース
１５  回転軸
１８ａ，１８ｂ，１８ｃ  穴
１９ａ，１９ｂ，１９ｃ  爪
２１  角度アダプタ
２２  突起
２３  回転軸固定部
２５  爪
２６  回転軸固定部
２７  溝
２８  板ばね
２９  回転軸
３２  膨らみ部
【図１】
0003744558.tif 000002
【図２】
0003744558.tif 000003
【図３】
0003744558.tif 000004
【図４】
0003744558.tif 000005
【図５】
0003744558.tif 000006
【図６】
0003744558.tif 000007
【図７】
0003744558.tif 000008
【図８】
0003744558.tif 000009
【図９】
0003744558.tif 000010
【図１０】
0003744558.tif 000011